(57)【特許請求の範囲】
【請求項１】
ローカルエリアネットワークまたはインターネットを介して行うデータのやりとりの機能と、公衆網を介して行うファクシミリ伝送手順によるファクシミリデータのやりとりの機能を備えるファクシミリサーバ装置、および、公衆網を伝送路として用いるファクシミリ装置からなり、ファクシミリサーバ装置は、ローカルエリアネットワークまたはインターネットを介してファクシミリ装置宛の送信情報を受信するとその送信情報をファクシミリ画情報に変換して蓄積する一方、ファクシミリ装置は、適宜なタイミングで上記ファクシミリサーバ装置へポーリング受信要求し、ファクシミリサーバ装置は、ポーリング受信要求されたファクシミリ装置宛の送信情報のファクシミリ画情報を蓄積しているときには、そのファクシミリ画情報をポーリング送信するファクシミリ通信システムの制御方法において、
上記ファクシミリ装置は、発信者番号通知サービスを有する公衆網に接続される一方、
上記ファクシミリサーバ装置は、ローカルエリアネットワークまたはインターネットを介してファクシミリ装置宛の送信情報を受信するとその送信情報をファクシミリ画情報に変換して蓄積するとともに、そのファクシミリ装置宛のファクシミリ画情報が、あらかじめ指定された数以上蓄積されるとその宛先のファクシミリ装置へ上記公衆網を介して発呼する一方、
上記ファクシミリ装置は、着信時に網より受信した発信者番号が上記ファクシミリサーバ装置に対応したものである場合には、上記ファクシミリサーバ装置へポーリング受信要求し、
上記ファクシミリサーバ装置は、ポーリング受信要求されたファクシミリ装置宛の送信情報のファクシミリ画情報を蓄積しているときには、その蓄積している全てのファクシミリ画情報をポーリング送信することを特徴とするファクシミリ通信システムの制御方法。
【請求項２】
ローカルエリアネットワークまたはインターネットを介して行うデータのやりとりの機能と、公衆網を介して行うファクシミリ伝送手順によるファクシミリデータのやりとりの機能を備えるファクシミリサーバ装置、および、公衆網を伝送路として用いるファクシミリ装置からなり、ファクシミリサーバ装置は、ローカルエリアネットワークまたはインターネットを介してファクシミリ装置宛の送信情報を受信するとその送信情報をファクシミリ画情報に変換して蓄積する一方、ファクシミリ装置は、適宜なタイミングで上記ファクシミリサーバ装置へポーリング受信要求し、ファクシミリサーバ装置は、ポーリング受信要求されたファクシミリ装置宛の送信情報のファクシミリ画情報を蓄積しているときには、そのファクシミリ画情報をポーリング送信するファクシミリ通信システムの制御方法において、
上記ファクシミリ装置は、発信者番号通知サービスを有する公衆網に接続される一方、
上記ファクシミリサーバ装置は、ローカルエリアネットワークまたはインターネットを介してファクシミリ装置宛の送信情報を受信するとその送信情報をファクシミリ画情報に変換して蓄積するとともに、そのファクシミリ装置宛のファクシミリ画情報が、あらかじめ指定された数以上蓄積されるか、あるいは、そのときに受信した送信情報に設定されている優先順位情報の値が所定値よりも高い場合にはその宛先のファクシミリ装置へ上記公衆網を介して発呼する一方、
上記ファクシミリ装置は、着信時に網より受信した発信者番号が上記ファクシミリサーバ装置に対応したものである場合には、上記ファクシミリサーバ装置へポーリング受信要求し、
上記ファクシミリサーバ装置は、ポーリング受信要求されたファクシミリ装置宛の送信情報のファクシミリ画情報を蓄積しているときには、その蓄積している全てのファクシミリ画情報をポーリング送信することを特徴とするファクシミリ通信システムの制御方法。
【請求項３】
前記公衆網は、発信者番号通知サービスを備えたアナログ公衆網、または、ＩＳＤＮであることを特徴とする請求項１または請求項２記載のファクシミリ通信システムの制御方法。
【請求項４】
前記ファクシミリ装置宛の送信情報は、インターネット電子メールにより前記ファクシミリサーバ装置に送信されることを特徴とする請求項１または請求項２記載のファクシミリ通信システムの制御方法。
【請求項５】
前記ファクシミリサーバ装置は、メールサーバ機能を備えるとともに、宛先のファクシミリ装置に対して割り当てたユーザメールアドレスに対応して、そのファクシミリ装置の番号情報を登録したテーブルを有し、受信したインターネット電子メールのヘッダ情報に配置される宛先情報に基づき、上記テーブルを参照して宛先ファクシミリ装置の番号情報を得ることを特徴とする請求項４記載のファクシミリ通信システムの制御方法。
【発明の詳細な説明】
【０００１】
【発明の属する技術分野】
本発明は、ローカルエリアネットワークまたはインターネットを介して行うデータのやりとりの機能と、公衆網を介して行うファクシミリ伝送手順によるファクシミリデータのやりとりの機能を備えるファクシミリサーバ装置、および、公衆網を伝送路として用いるファクシミリ装置からなり、ファクシミリサーバ装置は、ローカルエリアネットワークまたはインターネットを介してファクシミリ装置宛の送信情報を受信するとその送信情報をファクシミリ画情報に変換して蓄積する一方、ファクシミリ装置は、適宜なタイミングで上記ファクシミリサーバ装置へポーリング受信要求し、ファクシミリサーバ装置は、ポーリング受信要求されたファクシミリ装置宛の送信情報のファクシミリ画情報を蓄積しているときには、そのファクシミリ画情報をポーリング送信するファクシミリ通信システムの制御方法に関する。
【０００２】
【従来の技術】
従来より、ローカルエリアネットワークまたはインターネットを介して行うデータのやりとりの機能と、公衆網を介して行うファクシミリ伝送手順によるファクシミリデータのやりとりの機能を備えるファクシミリサーバ装置、および、公衆網を伝送路として用いるファクシミリ装置からなり、ファクシミリサーバ装置は、ローカルエリアネットワークまたはインターネットを介してファクシミリ装置宛の送信情報を受信するとその送信情報をファクシミリ画情報に変換して蓄積する一方、ファクシミリ装置は、適宜なタイミングで上記ファクシミリサーバ装置へポーリング受信要求し、ファクシミリサーバ装置は、ポーリング受信要求されたファクシミリ装置宛の送信情報のファクシミリ画情報を蓄積しているときには、そのファクシミリ画情報をポーリング送信するファクシミリ通信システムが実用されている。
【０００３】
このようなファクシミリ通信システムを利用すると、ローカルエリアネットワークまたはインターネットに接続されたホスト装置から、公衆網に接続されたファクシミリ装置に対し、種々の情報を送信することができるので、非常に便利である。
【０００４】
【発明が解決しようとする課題】
しかしながら、このような従来装置には、次のような不都合を生じていた。
【０００５】
すなわち、公衆網に接続されているファクシミリ装置が、ファクシミリサーバ装置に対してポーリング受信要求の動作を行わない限り、ファクシミリ装置宛の送信情報が宛先のファクシミリ装置で得られないので、送信元が送信情報を送り出してから、宛先でその情報を受信するまでに要する時間が長くなり、通信の遅れ時間が非常に大きくなるという不都合を生じていた。
【０００６】
本発明は、かかる実情に鑑みてなされたものであり、通信の遅れ時間を大幅に短縮できるファクシミリ通信システムの制御方法を提供することを目的としている。
【０００７】
【課題を解決するための手段】
本発明は、ローカルエリアネットワークまたはインターネットを介して行うデータのやりとりの機能と、公衆網を介して行うファクシミリ伝送手順によるファクシミリデータのやりとりの機能を備えるファクシミリサーバ装置、および、公衆網を伝送路として用いるファクシミリ装置からなり、ファクシミリサーバ装置は、ローカルエリアネットワークまたはインターネットを介してファクシミリ装置宛の送信情報を受信するとその送信情報をファクシミリ画情報に変換して蓄積する一方、ファクシミリ装置は、適宜なタイミングで上記ファクシミリサーバ装置へポーリング受信要求し、ファクシミリサーバ装置は、ポーリング受信要求されたファクシミリ装置宛の送信情報のファクシミリ画情報を蓄積しているときには、そのファクシミリ画情報をポーリング送信するファクシミリ通信システムの制御方法において、上記ファクシミリ装置は、発信者番号通知サービスを有する公衆網に接続される一方、上記ファクシミリサーバ装置は、ローカルエリアネットワークまたはインターネットを介してファクシミリ装置宛の送信情報を受信するとその送信情報をファクシミリ画情報に変換して蓄積するとともに、そのファクシミリ装置宛のファクシミリ画情報が、あらかじめ指定された数以上蓄積されるとその宛先のファクシミリ装置へ上記公衆網を介して発呼する一方、上記ファクシミリ装置は、着信時に網より受信した発信者番号が上記ファクシミリサーバ装置に対応したものである場合には、上記ファクシミリサーバ装置へポーリング受信要求し、上記ファクシミリサーバ装置は、ポーリング受信要求されたファクシミリ装置宛の送信情報のファクシミリ画情報を蓄積しているときには、その蓄積している全てのファクシミリ画情報をポーリング送信するようにしたものである。
【０００９】
また、ローカルエリアネットワークまたはインターネットを介して行うデータのやりとりの機能と、公衆網を介して行うファクシミリ伝送手順によるファクシミリデータのやりとりの機能を備えるファクシミリサーバ装置、および、公衆網を伝送路として用いるファクシミリ装置からなり、ファクシミリサーバ装置は、ローカルエリアネットワークまたはインターネットを介してファクシミリ装置宛の送信情報を受信するとその送信情報をファクシミリ画情報に変換して蓄積する一方、ファクシミリ装置は、適宜なタイミングで上記ファクシミリサーバ装置へポーリング受信要求し、ファクシミリサーバ装置は、ポーリング受信要求されたファクシミリ装置宛の送信情報のファクシミリ画情報を蓄積しているときには、そのファクシミリ画情報をポーリング送信するファクシミリ通信システムの制御方法において、上記ファクシミリ装置は、発信者番号通知サービスを有する公衆網に接続される一方、上記ファクシミリサーバ装置は、ローカルエリアネットワークまたはインターネットを介してファクシミリ装置宛の送信情報を受信するとその送信情報をファクシミリ画情報に変換して蓄積するとともに、そのファクシミリ装置宛のファクシミリ画情報が、あらかじめ指定された数以上蓄積されるか、あるいは、そのときに受信した送信情報に設定されている優先順位情報の値が所定値よりも高い場合にはその宛先のファクシミリ装置へ上記公衆網を介して発呼する一方、上記ファクシミリ装置は、着信時に網より受信した発信者番号が上記ファクシミリサーバ装置に対応したものである場合には、上記ファクシミリサーバ装置へポーリング受信要求し、上記ファクシミリサーバ装置は、ポーリング受信要求されたファクシミリ装置宛の送信情報のファクシミリ画情報を蓄積しているときには、その蓄積している全てのファクシミリ画情報をポーリング送信するようにしたものである。
【００１０】
また、前記公衆網としては、発信者番号通知サービスを備えたアナログ公衆網、または、ＩＳＤＮを適用することができる。また、前記ファクシミリ装置宛の送信情報は、インターネット電子メールにより前記ファクシミリサーバ装置に送信されるものである。また、前記ファクシミリサーバ装置は、メールサーバ機能を備えるとともに、宛先のファクシミリ装置に対して割り当てたユーザメールアドレスに対応して、そのファクシミリ装置の番号情報を登録したテーブルを有し、受信したインターネット電子メールのヘッダ情報に配置される宛先情報に基づき、上記テーブルを参照して宛先ファクシミリ装置の番号情報を得るようにするとよい。
【００１１】
【発明の実施の形態】
以下、添付図面を参照しながら、本発明の実施の形態を詳細に説明する。
【００１２】
図１は、本発明の一実施例にかかるファクシミリ通信システムの一例を示している。
【００１３】
同図において、ファクシミリサーバ装置ＦＳは、ローカルエリアネットワークＬＡＮに接続されるとともに、デジタル公衆網ＩＳＤＮおよびアナログ公衆網ＰＳＴＮに接続されている。
【００１４】
ローカルエリアネットワークＬＡＮには、複数のワークステーション装置ＷＳ１〜ＷＳｎおよび電子メールの収集や配送を制御するためのメールサーバ装置ＭＳが接続されている。また、このローカルエリアネットワークＬＡＮは、ルータ装置ＲＴを介し、インターネット（図示略）へと接続されている。
【００１５】
また、ファクシミリサーバ装置ＦＳは、メールサーバ装置ＭＳと同等のメールサーバ機能も備えており、それにより、ファクシミリサーバ装置ＦＳに登録されているユーザ宛の電子メールは、ファクシミリサーバ装置ＦＳが直接に受信する。
【００１６】
また、グループ３ファクシミリ装置ＦＸｇは、アナログ公衆網ＰＳＴＮを介して、ファクシミリサーバ装置ＦＳとの間で画情報等のやりとりを行い、また、グループ４ファクシミリ装置ＦＸｆは、デジタル公衆網ＩＳＤＮを介して、ファクシミリサーバ装置ＦＳとの間で画情報等のやりとりを行う。
【００１７】
また、グループ３ファクシミリ装置ＦＸｇは、アナログ網ＰＳＴＮとの間で、発信電話番号通知サービスを契約しており、グループ３ファクシミリ装置ＦＸｇは、発信電話番号通知サービスのモデム機能およびその着信手順機能も備えている。それにより、発端末の電話番号は、通常は、グループ３ファクシミリ装置ＦＸｇへ通知される。
【００１８】
図２は、ファクシミリサーバ装置ＦＳの構成の一例を示している。
【００１９】
同図において、システム制御部１は、このファクシミリサーバ装置ＦＳの各部の制御処理、グループ３ファクシミリ伝送制御手順処理、メールサーバ処理等の各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このファクシミリサーバ装置ＦＳに固有な各種の情報を記憶するためのものであり、時計回路４は、現在時刻情報を出力するためのものである。
【００２０】
操作表示部７は、このファクシミリサーバ装置ＦＳを操作するためのもので、各種の操作キー、および、各種の表示器からなる。
【００２１】
画像蓄積装置６は、符号化圧縮された状態の画情報を多数記憶するためのものであり、符号化復号化部７は、画像データを符号化圧縮するとともに、符号化圧縮されている画情報を元の画像データに復号化するためのものである。
【００２２】
画像処理部８は、電子メールで受信した本文情報（後述）の内容を対応するファクシミリ画像データへ変換するためのものである。
【００２３】
ローカルエリアネットワークインターフェース回路９は、このファクシミリサーバ装置ＦＳをローカルエリアネットワークＬＡＮへ接続するためのものであり、ローカルエリアネットワーク伝送制御部１０は、ローカルエリアネットワークＬＡＮ、および、インターネットを介して、他のデータ端末装置との間で種々のデータをやりとりするための所定のプロトコルスイートの通信制御処理を実行するためのものである。
【００２４】
ＩＳＤＮインターフェース回路１１は、このファクシミリサーバ装置ＦＳをデジタル公衆網ＩＳＤＮへ接続するためのものであり、グループ４ファクシミリ通信制御部１２は、グループ４ファクシミリ通信制御処理を実行し、グループ４ファクシミリ装置との間で画情報等のやりとりを行うためのものである。
【００２５】
網制御装置１３は、このファクシミリサーバ装置ＦＳをアナログ公衆網ＰＳＴＮへ接続するためのものであり、グループ３ファクシミリモデム１４は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２６】
これらの、システム制御部１、システムメモリ２、パラメータメモリ３、時計回路４、操作表示部５、画像蓄積装置６、符号化復号化部７、ローカルエリアネットワーク伝送制御部１０、グループ４ファクシミリ通信制御部１２、網制御装置１３、および、グループ３ファクシミリモデム１４は、内部バス１５に接続されており、これらの各要素間でのデータのやりとりは、主としてこの内部バス１５を介して行われている。
【００２７】
また、網制御装置１３とグループ３ファクシミリモデム１４との間のデータのやりとりは、直接行なわれている。
【００２８】
さて、このファクシミリサーバ装置ＦＳでは、ローカルエリアネットワークＬＡＮまたはインターネットに接続されている他のホスト装置等から電子メールを受信し、その電子メールで指定された宛先のファクシミリ装置へ、その電子メールの内容を、デジタル公衆網ＩＳＤＮまたはアナログ公衆網ＰＳＴＮを介して送信する画情報配信サービスを実現する。
【００２９】
また、この画情報配信サービスのために、画情報配信サービスを受けるファクシミリ装置について必要な情報をまとめたユーザ登録テーブルを保存しており、その一例を図３に示す。
【００３０】
このユーザ登録テーブルは、おのおののユーザについて、それぞれのユーザ（ファクシミリ装置）を区別するための宛先番号、そのユーザに登録された電子メールアドレス、そのユーザへ着信通知の発呼の際に使用する電話番号、および、そのユーザへ発呼する際に使用する回線の種別をあらわす回線種別が登録されている。なお、この場合、このファクシミリサーバ装置ＦＳのホスト名は「ｆｓ」に、また、ドメイン名は「＊＊＊．ｃｏ．ｊｐ」にそれぞれ設定されている。
【００３１】
一方、このファクシミリサーバ装置ＦＳへ画情報配信サービスを依頼するためには、上述したように電子メールが用いられる。その一例を図４、図５、および、図６に示す。ここで、図４は、本文情報が日本語キャラクタコードのみで構成されている場合であり、図５は、本文情報がファクシミリ画情報データのみで構成されている場合であり、図６は、本文情報が日本語キャラクタコードとファクシミリ画情報データの２つのパート情報から構成されている場合である。
【００３２】
この電子メールは、基本的に、ヘッダ情報と本文情報からなり、そのヘッダ情報は、基本的には、送信日時情報をセットする「Ｄａｔｅ」フィールド、電子メールの識別のためのメッセージ識別情報がセットされる「Ｍｅｓｓａｇｅ−ＩＤ」フィールド、発信者を表示するための「Ｆｒｏｍ」フィールド、宛先アドレスを表示するための「Ｔｏ」フィールド、および、本文の表題などを表示するために用いられる「Ｓｕｂｊｅｃｔ」フィールドからなる。
【００３３】
また、図４、図５、および、図６の場合には、拡張フィールドとして、電子メールの緊急度を指定するための「Ｘ−ｐｒｉｏｒｉｔｙ」フィールドが付加されている。
【００３４】
さらに、図４、図５、および、図６の電子メールは、本文情報が非ＡＳＣＩＩコードである日本語コードあるいは／およびファクシミリ画情報データというバイナリデータから構成されているので、ＭＩＭＥ形式（後述）のヘッダ情報（「Ｍｉｍｅ−Ｖｅｒｓｉｏｎ」フィールド、「Ｃｏｎｔｅｎｔ−Ｔｙｐｅ」フィールド、および、「Ｃｏｎｔｅｎｔ−Ｔｒａｎｓｆｅｒ−Ｅｎｃｏｄｉｎｇ」フィールド）も付加されている。また、図６の場合には、マルチパートのＭＩＭＥ形式であるので、各パートを区切る区切情報を表示するための「ｂｏｕｎｄａｒｙ」フィールドも付加されている。
【００３５】
すなわち、電子メールの本文情報は、基本的には、７ビットコード（ＡＳＣＩＩコード）の可読情報でなければならないという制限（ＲＦＣ８２２参照）があるが、この場合に送信しようとする日本語コードおよびファクシミリ画情報データは、それぞれ１６ビットコードおよびバイナリデータであり、７ビットコードの可読情報ではないので、直接送信することができない。そこで、このようなデータも電子メールでやりとりできるように定められた仕組みが、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ（多目的メール）；ＲＦＣ１５２１，ＲＦＣ１５２２）形式である。なお、以下の説明においては、ＭＩＭＥ形式の本文情報をＭＩＭＥ情報という。
【００３６】
なお、詳細については、各ＲＦＣ文書を参照のこと。ここに、ＲＦＣ（Ｒｅｑｕｅｓｔ  Ｆｏｒ  Ｃｏｍｍｅｎｔｓ）文書とは、インターネットで使用する通信プロトコルやデータ構造などを取り決めた文書であり、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているものである。
【００３７】
次に、アナログ公衆網ＰＳＴＮにおける発信者番号通知サービスについて説明する。
【００３８】
この発信番号通知サービスを受けている回線では、加入者線交換機は、ＩＤ受信端末に対して、図７に示すようなシーケンスで発呼動作を行う。
【００３９】
すなわち、加入者線交換機は、まず、回線Ｌ１，Ｌ２を極性反転した後に、所定のＩＤ受信端末起動信号を送出する。これにより、ＩＤ受信端末は、一次応答信号として直流ループを形成する。
【００４０】
このようにして、ＩＤ受信端末が一次応答すると、加入者交換機は、発ＩＤ（発信者電話番号）等を所定信号形式（後述）のモデム信号（例えば、Ｖ．２３モデム信号）により送出し、ＩＤ受信端末は、そのモデム信号を受信すると、受信完了信号として直流ループを断する。
【００４１】
このようにして、ＩＤ受信端末が発ＩＤを受信完了すると、加入者線交換機は、所定の呼出信号を送出し、ＩＤ受信端末は、呼出信号に応答して二次応答信号として直流ループを形成し、それにより、加入者交換機は、回線Ｌ１，Ｌ２を復極し、それ以降は、通常の通話（通信）動作が行われる。
【００４２】
このような、発呼シーケンスにおいて、発ＩＤ等を送出する際のモデム信号の信号形式の一例を図８に示す。
【００４３】
この信号形式は、情報メッセージのヘッディングの開始を示す制御信号ＳＯＨ、交換機から端末への情報送出のためのヘッダ、テキストの開始およびヘッディングの終了を示す制御信号ＳＴＸ、送信情報の内容が発呼者通知サービスであることを通知するためのサービス種別、後続のパラメータ（１）〜パラメータ（ｎ）までの総バイト数を示すためのメッセージ内容長、送信情報の内容をなすパラメータ（１）〜パラメータ（ｎ）、テキストの終わりを示す制御信号ＥＴＸ、および、誤り検出符号ＣＨＫを順次配列したものである。なお、おのおのの制御信号の直前には、所定の透過モード用制御信号ＤＬＥが付加されている。
【００４４】
また、おのおののパラメータは、パラメータの種別をあらわすパラメータ種別情報と、情報内容のバイト数をあらわす情報内容長情報と、送信する情報（この場合は、発呼者番号）をあらわす情報内容長情報からなる。
【００４５】
なお、おのおのの制御信号は、１語７ビット長のデータからなる。
【００４６】
次に、デジタル公衆網ＩＳＤＮにおける呼制御手順について説明する。
【００４７】
図９は、回線交換モードでのデジタル公衆網ＩＳＤＮにおける呼制御手順の一例について示している。
【００４８】
すなわち、発端末は、まず、転送モードとして回線交換モードを設定するとともに、着端末を宛先に指定した呼設定メッセージＳＥＴＵＰをデジタル公衆網ＩＳＤＮに送出して着端末との呼設定を要求し、デジタル公衆網ＩＳＤＮは、指定された着端末に呼設定メッセージＳＥＴＵＰを送出して発呼する。また、デジタル公衆網ＩＳＤＮは、呼設定状況を通知するための呼設定受付メッセージＣＡＬＬ＿ＰＲＯＣを発端末に送出する。
【００４９】
着端末は、着信検出すると、自端末が着信可能な状態になっているときには、デジタル公衆網ＩＳＤＮに呼出メッセージＡＬＥＲＴを送出し、デジタル公衆網ＩＳＤＮは呼出メッセージＡＬＥＲＴを発端末に送出して着端末の呼出を開始したことを通知する。
【００５０】
着端末は、着信応答すると応答メッセージＣＯＮＮをデジタル公衆網ＩＳＤＮに送出し、デジタル公衆網ＩＳＤＮは応答メッセージＣＯＮＮを発端末に送出して着端末が呼を受け付けたことを通知する。
【００５１】
また、デジタル公衆網ＩＳＤＮは、着端末に応答確認メッセージＣＯＮＮ＿ＡＣＫを送出して着端末の応答を確認し、その時点で、発端末と着端末の間にデータ伝送のための情報チャネル（Ｂチャネル）が確立する。
【００５２】
これにより、発端末と着端末との相互間で、情報チャネルを用いたデータ伝送が、おのおのの端末の伝送機能に設定された伝送制御手順により実行される。
【００５３】
そして、データ伝送を終了すると、発端末が切断メッセージＤＩＳＣをデジタル公衆網ＩＳＤＮに送出して情報チャネルの解放を要求し、デジタル公衆網ＩＳＤＮが切断メッセージＤＩＳＣを着端末に送出して情報チャネルの復旧を通知する。
【００５４】
これにより、着端末がチャネル切断完了を通知する解放メッセージＲＥＬをデジタル公衆網ＩＳＤＮに応答すると、デジタル公衆網ＩＳＤＮから発端末に解放メッセージＲＥＬが送出される。発端末は、チャネル解放が完了すると解放完了メッセージＲＥＬ＿ＣＯＭＰをデジタル公衆網ＩＳＤＮに送出してその旨を通知し、それにより、デジタル公衆網ＩＳＤＮは解放完了メッセージＲＥＬ＿ＣＯＭＰを着端末に送出して、情報チャネルの解放が成立し、発端末と着端末との間に設定されていた情報チャネルが完全に解放される。
【００５５】
このようにして、発端末と着端末との間に情報チャネルが設定されて、データ伝送が行なわれ、データ伝送が終了すると、情報チャネルが解放される。
【００５６】
また、着端末が発端末からの発呼を拒否するときには、同図（ｂ）に示すように、その拒否の理由を含む解放完了メッセージＲＥＬ＿ＣＯＭＰをデジタル公衆網ＩＳＤＮに応答する。これにより、デジタル公衆網ＩＳＤＮは、発端末に対し解放完了メッセージＲＥＬ＿ＣＯＭＰを送出し、その呼を解放する。
【００５７】
さて、呼設定用のおのおののメッセージは、図１０（ａ）に示すように、レイヤ３呼制御メッセージを規定するプロトコル仕様（フォーマット、シーケンスなど）を識別するためのプロトコル識別子、そのメッセージがどの呼に関与するものであるかを識別するための呼番号、それぞれのメッセージの内容を識別するためのメッセージタイプ、おのおののメッセージに必ず付加される必須情報要素、および、おのおののメッセージに必要に応じて付加される付加情報要素からなる。なお、必須情報要素は、メッセージタイプに応じて０，１または複数個が設定されており、付加情報要素は、その状況に応じて０，１または複数個が配置される。
【００５８】
呼設定メッセージＳＥＴＵＰは、同図（ｂ）に示すように、必須情報要素として「伝達能力」をもち、付加情報要素としては、例えば、「発番号」、「着番号」、「低位レイヤ整合性」、および、「高位レイヤ整合性」などの情報要素をもつ。
【００５９】
これらの情報要素の概略について説明する。
【００６０】
「伝達能力」情報要素は、伝送する情報の内容が、音声、非制限デジタル情報、制限デジタル情報、３．１ＫＨｚオーディオ、７ＫＨｚオーディオ、あるいは、ビデオ等のいずれかであるのかを示す情報転送能力、使用する交換機能が回線交換であるのかパケット交換であるのかを示す転送モード、情報転送の速度をあらわす情報転送速度、情報の転送形態をあらわす情報、および、ユーザ情報のプロトコルをあらわす情報などからなる。
【００６１】
「発番号」情報要素は、発端末のＩＳＤＮアドレス（電話番号）をあらわし、「発サブアドレス」は発端末に設定されているサブアドレスをあらわし、「着番号」情報要素は、着端末のＩＳＤＮアドレスをあらわし、「着サブアドレス」は着端末に設定されているサブアドレスをあらわす。
【００６２】
「低位レイヤ整合性」情報要素は、相手端末との通信可能性検査に使用するためのものであり、基本的な内容は「伝達能力」情報要素と同一である。さらに、この「低位レイヤ整合性」情報要素には、より細かい内容が含まれる。
【００６３】
「高位レイヤ整合性」情報要素は、相手端末との整合性検査に使用するためのものであり、グループ２／グループ３ファクシミリ、グループ４ファクシミリ、ミックスモード、テレテックス、ビデオテックス、テレックス、あるいは、メッセージ・ハンドリング・システム等のいずれを端末機能として備えているのかを表示する。
【００６４】
以上の構成で、電子メールにより画情報配信サービスが依頼されると、ファクシミリサーバ装置ＦＳは、受信した電子メールの本文情報をファクシミリ画情報に変換し、そのファクシミリ画情報を宛先ユーザに対応して画像蓄積装置９に設けられているメールボックス（記憶領域）に蓄積した後、その電子メールのヘッダ情報の「Ｔｏ」フィールドの値にセットされている宛先ユーザの電子メールアドレスを取り出し、ユーザ登録テーブルを参照して、対応する電話番号と回線種別を取り出す。
【００６５】
回線種別がＰＳＴＮであれば、取り出した電話番号を用いて、アナログ公衆網ＰＳＴＮへ発呼する。ここで、本実施例では、ユーザ登録されているファクシミリの内、アナログ公衆網ＰＳＴＮに接続されるグループ３ファクシミリ装置ＦＸｇは、発信者番号通知サービスを受けている。
【００６６】
したがって、その宛先ユーザのグループ３ファクシミリ装置ＦＸｇは、着信検出して上述したような発信番号通知サービス着信手順を実行して、発信者の電話番号を知る。そして、その電話番号と、ファクシミリサーバ装置ＦＳの電話番号と比較して、一致する場合には、ファクシミリサーバ装置ＦＳからの着信通知であるとみなして、いったんその着信を打ち切る。
【００６７】
このとき、宛先ユーザのグループ３ファクシミリ装置ＦＸｇは、発信番号通知サービス着信手順を実行するが、発ＩＤを受信した直後に上述した比較動作を行い、発信元がファクシミリサーバ装置ＦＳであると確認した場合には、その時点で着信手順を中断し、呼を確立しない。これにより、ファクシミリサーバ装置ＦＳには課金されない。
【００６８】
このようにして、ファクシミリサーバ装置ＦＳからの着信通知を検出すると、グループ３ファクシミリ装置ＦＸｇは、ファクシミリサーバ装置ＦＳへ発呼して、ポーリング受信要求動作を実行する。
【００６９】
それにより、ファクシミリサーバ装置ＦＳは、アナログ公衆網ＰＳＴＮより着信すると、所定のグループ３ファクシミリ伝送手順を開始し、ポーリング受信要求が指定されると、そのときの相手先端末の電話番号（ファクシミリ伝送手順信号により通知される。）に基づき、ユーザ登録テーブルを参照してユーザの電子メールアドレスを認識し、その電子メールアドレスに対応して画像蓄積装置９に設けられているメールボックスよりファクシミリ画情報を取り出し、そのファクシミリ画情報を送信するポーリング送信動作を行う。
【００７０】
また、宛先ユーザの回線種別がＩＳＤＮの場合には、取り出した電話番号を用いて、デジタル公衆網ＩＳＤＮへ発呼する。
【００７１】
したがって、その宛先ユーザのグループ４ファクシミリ装置ＦＸｆは、デジタル公衆網ＩＳＤＮより呼設定メッセージＳＥＴＵＰを受信して着信検出し、その呼設定メッセージＳＥＴＵＰから「発番号」情報要素の値から発信者の電話番号を知る。
【００７２】
そして、その電話番号と、ファクシミリサーバ装置ＦＳの電話番号と比較して、一致する場合には、ファクシミリサーバ装置ＦＳからの着信通知であるとみなして、呼接続を拒否するために解放完了メッセージＲＥＬ＿ＣＯＭＰをデジタル公衆網ＩＳＤＮに応答し、その呼制御動作を打ち切る。また、この場合も、呼接続が完了しないので、ファクシミリサーバ装置ＦＳには課金されない。
【００７３】
このようにして、ファクシミリサーバ装置ＦＳからの着信通知を検出すると、グループ４ファクシミリ装置ＦＸｆは、ファクシミリサーバ装置ＦＳへ発呼して、ポーリング受信要求動作を実行する。
【００７４】
それにより、ファクシミリサーバ装置ＦＳは、デジタル公衆網ＩＳＤＮより着信すると、呼制御手順を実行して情報チャネルを確立した後に、その情報チャネル上で所定のグループ４ファクシミリ伝送手順を開始する。
【００７５】
このときには、ポーリング受信要求が指定されるので、そのときの相手先端末の電話番号（呼設定メッセージＳＥＴＵＰの「発番号」情報要素により通知される。）に基づき、ユーザ登録テーブルを参照してユーザの電子メールアドレスを認識し、その電子メールアドレスに対応して画像蓄積装置９に設けられているメールボックスよりファクシミリ画情報を取り出し、そのファクシミリ画情報を送信するポーリング送信動作を行う。
【００７６】
これにより、電子メールで配信要求された文書の内容が、ほぼ、電子メール受信直後に宛先ユーザのファクシミリ装置で受信されて、記録出力される。したがって、従来問題となっていた電子メールの本文情報の配信の遅れ時間が大幅に短縮され、このファクシミリ通信システムの利用性および利便性が大幅に向上する。
【００７７】
また、ファクシミリサーバ装置ＦＳから宛先のファクシミリ装置への着信通知には、課金がされないので、ファクシミリサーバ装置ＦＳに不要な課金がされるような事態を回避することができる。
【００７８】
図１１、図１２および図１３は、ファクシミリサーバ装置ＦＳが実行する処理の要部の一例を示している。
【００７９】
まず、ファクシミリサーバ装置ＦＳは、電子メールを受信するか、アナログ公衆網ＰＳＴＮより着信検出するか、あるいは、デジタル公衆網ＩＳＤＮより着信検出することを監視している（判断１０１，１０２，１０３のＮＯループ）。
【００８０】
電子メールを受信した場合で、判断１０１の結果がＹＥＳになるときには、その電子メールを保存し（処理１０４）、宛先ユーザのメールアドレスを抽出し（処理１０５）、画像処理部８により、本文情報をファクシミリ画情報へ変換して、宛先ユーザの電子メールアドレスに対応して画像蓄積装置９に設けられているメールボックスにそのファクシミリ画情報を蓄積する（処理１０６）。
【００８１】
ここで、受信した電子メールの本文情報が、図４に示したように日本語キャラクタコードのＭＩＭＥ情報のみで構成されている場合には、そのＭＩＭＥ情報を復号して元の日本語キャラクタコードデータを生成し、その日本語キャラクタコードデータに対応する図形文字データを発生して、その本文情報の表示情報を作成し、その表示情報を符号化復号化部７により符号化圧縮してファクシミリ画情報を作成する。
【００８２】
また、本文情報が図５に示したようにファクシミリ画情報データのＭＩＭＥ情報のみで構成されている場合には、そのＭＩＭＥ情報を復号することで元のファクシミリ画情報を生成する。
【００８３】
また、本文情報が図６に示したように日本語キャラクタコードとファクシミリ画情報データの２つのパート情報から構成されている場合には、最初のパートの情報は、そのＭＩＭＥ情報を復号して元の日本語キャラクタコードデータを生成し、その日本語キャラクタコードデータに対応する図形文字データを発生して、その本文情報の表示情報を作成し、その表示情報を符号化復号化部７により符号化圧縮してファクシミリ画情報を作成し、そのファクシミリ画情報を１ページ目の画情報として取り扱い、次のパートの情報については、ＭＩＭＥ情報を復号して元のファクシミリ画情報を生成し、そのファクシミリ画情報を２ページ目の画情報として取り扱う。このようにして、マルチパートＭＩＭＥ形式の本文情報は、パート毎に独立したページが割り当てられる。
【００８４】
なお、本文情報としてファクシミリ画情報データ以外の他のフォーマット（例えば、ＢＭＰ，ＧＩＦ，ＪＰＥＧ，ＴＩＦＦ等）の画像データが添付されている場合には、その画像データのフォーマットをファクシミリ画像データへフォーマット変換した後に、符号化圧縮し、ファクシミリ画情報データを作成する。このような画像フォーマット変換は、画像処理部８によりなされる。
【００８５】
次に、ユーザ登録テーブルを参照して、宛先の電子メールアドレスに対応して登録されている電話番号と回線種別を取り出し（処理１０７）、その回線種別がＩＳＤＮであるかどうかを調べる（判断１０８）。
【００８６】
回線種別がＩＳＤＮの場合で、判断１０８の結果がＹＥＳになるときには、そのときに取り出した電話番号を用いて、デジタル公衆網ＩＳＤＮへ発呼する（処理１０９）。これにより、宛先のグループ４ファクシミリ装置ＦＸｆが着信検出し、この場合には、上述したように呼設定メッセージＳＥＴＵＰを受信して発信元を確認した後に解放完了メッセージＲＥＬ＿ＣＯＭＰを送出して呼設定手順動作を打ち切るので、デジタル公衆網ＩＳＤＮより解放完了メッセージＲＥＬ＿ＣＯＭＰを受信するまで待ち（判断１１０のＮＯループ）、デジタル公衆網ＩＳＤＮより解放完了メッセージＲＥＬ＿ＣＯＭＰを受信して判断１１０の結果がＹＥＳになると、宛先ユーザへの着信通知を終了したので、判断１０１へ戻る。
【００８７】
また、回線種別がＰＳＴＮの場合で、判断１０８の結果がＮＯになるときには、そのときに取り出した電話番号を用いて、アナログ公衆網へ発呼する（処理１１１）。これにより、宛先のグループ３ファクシミリ装置ＦＸｇが着信検出し、この場合には上述したように発信番号通知サービス着信手順を実行して、発信者の電話番号を知った後に回線を復旧するので、発呼してから所定時間を経過するまで待ち（判断１１２のＮＯループ）、発呼してから所定時間を経過して判断１１２の結果がＹＥＳになると、宛先ユーザへの着信通知を終了したので、判断１０１へ戻る。
【００８８】
アナログ公衆網ＰＳＴＮより着信検出した場合で、判断１０２の結果がＹＥＳになるときには、着信応答し、所定のグループ３ファクシミリ伝送前手順を実行し（処理１１５）、そのときの伝送機能等の設定等を行う。
【００８９】
ここで、相手端末よりポーリング受信要求が指定されたかどうかを調べ（判断１１６）、判断１１６の結果がＮＯになるときには、通常の着信時の処理を実行して（処理１１７）、判断１０１へ戻る。
【００９０】
また、相手端末よりポーリング受信要求が指定された場合で判断１１６の結果がＹＥＳになるときには、伝送前手順で受信した送信端末識別情報ＴＳＩより発信元電話番号を抽出し、その電話番号に対応してユーザ登録テーブルに登録されている電子メールアドレスを取り出し、その電子メールアドレスに対応して設けられているメールボックスに、１つ以上のファクシミリ画情報が保存されているかどうかを調べる（処理１１８、判断１１９）。
【００９１】
発信元に対応した電子メールアドレスに対応して設けられているメールボックスに、１つ以上のファクシミリ画情報が保存されている場合で、判断１１９の結果がＹＥＳになるときには、それ以降のグループ３ファクシミリ伝送手順を継続する。すなわち、モデムトレーニング手順を実行して使用するモデム速度を決定し（処理１２０）、所定の画情報送信手順を実行してメールボックスに保存されている画情報を送信し（処理１２１）、画情報送信を終了すると、所定の伝送後手順を実行（処理１２２）した後に、回線を復旧し（処理１２３）、送信終了した画情報をメールボックスより消去して（処理１２４）、この動作を終了し、判断１０１へ戻る。
【００９２】
一方、発信元に対応した電子メールアドレスに対応して設けられているメールボックスに、１つ以上のファクシミリ画情報が保存されていない場合で、判断１１９の結果がＮＯになるときには、所定の強制終了手順を実行してグループ３ファクシミリ伝送手順を強制終了し（処理１２５）、回線を復旧して（処理１２６）、判断１０１へ戻る。
【００９３】
また、デジタル公衆網ＩＳＤＮより着信検出した場合で、判断１０３の結果がＹＥＳになるときには、所定の呼設定手順を実行して（処理１３０）、情報チャネルを確立し（処理１３１）、その確立した情報チャネル上で所定のグループ４ファクシミリ伝送前手順を実行し（処理１３２）、そのときの伝送機能等の設定等を行う。
【００９４】
ここで、相手端末よりポーリング受信要求が指定されたかどうかを調べ（判断１３３）、判断１３３の結果がＮＯになるときには、通常の着信時の処理を実行して（処理１３４）、判断１０１へ戻る。
【００９５】
また、相手端末よりポーリング受信要求が指定された場合で判断１３３の結果がＹＥＳになるときには、呼設定メッセージＳＥＴＵＰに含まれる「発番号」情報要素より発信元の電話番号を抽出し、その電話番号に対応してユーザ登録テーブルに登録されている電子メールアドレスを取り出し、その電子メールアドレスに対応して設けられているメールボックスに、１つ以上のファクシミリ画情報が保存されているかどうかを調べる（処理１３５、判断１３６）。
【００９６】
発信元に対応した電子メールアドレスに対応して設けられているメールボックスに、１つ以上のファクシミリ画情報が保存されている場合で、判断１３６の結果がＹＥＳになるときには、所定の画情報送信手順を実行してメールボックスに保存されている画情報を送信し（処理１３７）、画情報送信を終了すると、所定の情報チャネル終了手順を実行（処理１３８）した後に、情報チャネルを終了し（処理１３９）、呼解放手順を実行して呼を解放し（処理１４０）、送信終了した画情報をメールボックスより消去して（処理１４１）、この動作を終了し、判断１０１へ戻る。
【００９７】
一方、発信元に対応した電子メールアドレスに対応して設けられているメールボックスに、１つ以上のファクシミリ画情報が保存されていない場合で、判断１３６の結果がＮＯになるときには、所定の強制終了手順を実行してグループ４ファクシミリ伝送手順を強制終了し（処理１４２）、情報チャネルを終了し（処理１４３）、所定の呼解放手順を実行して呼を解放して（処理１４４）、判断１０１へ戻る。
【００９８】
図１４は、グループ４ファクシミリ装置ＦＸｆが着信時に実行する処理の要部を示している。
【００９９】
グループ４ファクシミリ装置ＦＸｆは、着信検出すると（判断２０１の結果がＹＥＳ）、受信した呼設定メッセージＳＥＴＵＰより「発番号」情報要素を抽出して（処理２０２）、その「発番号」情報要素の内容がファクシミリサーバ装置ＦＳの電話番号に一致するかどうかを調べる（処理２０３、判断２０４）。
【０１００】
そのときの発信元がファクシミリサーバ装置ＦＳ以外の場合で、判断２０４の結果がＮＯになるときには、通常の着信時処理を実行して（処理２０５）、判断２０１へ戻る。
【０１０１】
また、そのときの発信元がファクシミリサーバ装置ＦＳの場合で、判断２０４の結果がＹＥＳになるときには、解放完了メッセージＲＥＬ＿ＣＯＭＰをデジタル公衆網ＩＳＤＮへ送出して呼設定を拒否する（処理２０６）。
【０１０２】
次いで、ファクシミリサーバ装置ＦＳへ発呼し（処理２０７）、所定の呼設定手順処理を実行して（処理２０８）、情報チャネルを確立し（処理２０９）、その確立した情報チャネルを用いて、ポーリング受信モードのグループ４ファクシミリ手順処理を実行する（処理２１０）。
【０１０３】
これにより、ファクシミリサーバ装置ＦＳより電子メールの本文情報に対応したファクシミリ画情報を受信するので、そのファクシミリ画情報を蓄積して、記録出力する。
【０１０４】
画情報通信を終了すると、情報チャネルを終了し（処理２１１）、所定の呼解放手順を実行して呼を解放して（処理２１２）、判断２０１へ戻る。
【０１０５】
図１５は、グループ３ファクシミリ装置ＦＸｇが着信時に実行する処理の要部を示している。
【０１０６】
グループ３ファクシミリ装置ＦＸｇは、アナログ公衆網ＰＳＴＮより一次呼出信号を受信して着信検出すると（判断３０１の結果がＹＥＳ）、アナログ公衆網ＰＳＴＮへ一次応答信号を送出し（処理３０２）、次いで、アナログ公衆網ＰＳＴＮより発ＩＤを受信すると（判断３０３の結果がＹＥＳ）、その発ＩＤを受信して保存し（処理３０４）、その発ＩＤがファクシミリサーバ装置ＦＳの電話番号に一致するかどうかを調べる（処理３０５、判断３０６）。
【０１０７】
受信した発ＩＤがファクシミリサーバ装置ＦＳの電話番号に一致する場合で、判断３０６の結果がＹＥＳになるときには、一旦回線を切断復旧する（処理３０７）。
【０１０８】
次いで、ファクシミリサーバ装置ＦＳへ発呼し（処理３０８）、ポーリング受信モードの伝送前手順を実行してそのときに使用する伝送機能（ポーリング受信を含む。）を設定し（処理３０９）、モデムトレーニング手順を実行して使用するモデム速度を決定し（処理３１０）、画情報受信手順を実行する（処理３１１）。
【０１０９】
これにより、ファクシミリサーバ装置ＦＳより電子メールの本文情報に対応したファクシミリ画情報を受信するので、そのファクシミリ画情報を記録出力する。
【０１１０】
画情報受信を終了すると、所定の伝送後手順を実行し（処理３１２）、回線を復旧して（処理３１３）、判断３０１へ戻る。
【０１１１】
また、受信した発ＩＤがファクシミリサーバ装置ＦＳの電話番号に一致しない場合で、判断３０６の結果がＮＯになるときには、アナログ公衆網ＰＳＴＮへ受信完了信号を送出し（処理３１５）、アナログ公衆網ＰＳＴＮより呼出信号を受信すると（判断３１６の結果がＹＥＳ）、二次応答信号をアナログ公衆網ＰＳＴＮへ送出して（処理３１７）、呼を確立し（処理３１８）、その後は、通常の着信時処理を実行し（処理３１９）、回線を復旧して（処理３２０）、判断３０１へ戻る。
【０１１２】
このようにして、本実施例では、ファクシミリサーバ装置ＦＳに対して電子メールで配信要求された文書の内容が、ほぼ、電子メール受信直後に宛先ユーザのグループ３ファクシミリ装置ＦＸｇまたはグループ４ファクシミリ装置ＦＸｆで受信されてされる。したがって、従来問題となっていた電子メールの本文情報の配信の遅れ時間が大幅に短縮され、このファクシミリ通信システムの利用性および利便性が大幅に向上する。
【０１１３】
また、ファクシミリサーバ装置ＦＳから宛先のグループ３ファクシミリ装置ＦＸｇまたはグループ４ファクシミリ装置ＦＸｆへの着信通知の際には、課金がされないので、ファクシミリサーバ装置ＦＳが不要に課金が請求されるような事態を回避することができる。
【０１１４】
ところで、上述した実施例では、電子メールが受信される度に宛先ユーザのグループ３ファクシミリ装置ＦＸｇまたはグループ４ファクシミリ装置ＦＸｆへの着信通知するようにしているが、これは、通信の即時性という観点では効果が大きいものの、頻繁に電子メールが受信される場合には、着信通知の頻度が高くなり、通信効率が悪くなるという不具合を生じるおそれもある。
【０１１５】
そこで、宛先毎に着信通知するまでにため込む電子メールの数を設定し、例えば、図１６に示すようなユーザ設定テーブルを形成して、保存しておく。
【０１１６】
ここで、ユーザ設定テーブルの１つの要素は、おのおのの要素を識別するためのアドレス番号、登録されたユーザの電子メールアドレス、蓄積している電子メールの数を記憶するための受信数、および、着信通知する受信数の設定値からなる。
【０１１７】
この場合に、ファクシミリサーバ装置ＦＳが実行する処理の要部の一例を図１７、図１８および図１９に示す。なお、本実施例の場合のグループ３ファクシミリ装置ＦＸｇ、および、グループ４ファクシミリ装置ＦＸｆの着信時の処理は、上述した実施例と同じ処理を適用することができる。
【０１１８】
まず、ファクシミリサーバ装置ＦＳは、電子メールを受信するか、アナログ公衆網ＰＳＴＮより着信検出するか、あるいは、デジタル公衆網ＩＳＤＮより着信検出することを監視している（判断４０１，４０２，４０３のＮＯループ）。
【０１１９】
電子メールを受信した場合で、判断４０１の結果がＹＥＳになるときには、その電子メールを保存し（処理４０４）、宛先ユーザのメールアドレスを抽出し（処理４０５）、画像処理部８により、本文情報をファクシミリ画情報へ変換して、宛先ユーザの電子メールアドレスに対応して画像蓄積装置９に設けられているメールボックスにそのファクシミリ画情報を蓄積する（処理４０６）。
【０１２０】
ここで、受信した電子メールの本文情報が、図４に示したように日本語キャラクタコードのＭＩＭＥ情報のみで構成されている場合には、そのＭＩＭＥ情報を復号して元の日本語キャラクタコードデータを生成し、その日本語キャラクタコードデータに対応する図形文字データを発生して、その本文情報の表示情報を作成し、その表示情報を符号化復号化部７により符号化圧縮してファクシミリ画情報を作成する。
【０１２１】
また、本文情報が図５に示したようにファクシミリ画情報データのＭＩＭＥ情報のみで構成されている場合には、そのＭＩＭＥ情報を復号することで元のファクシミリ画情報を生成する。
【０１２２】
また、本文情報が図６に示したように日本語キャラクタコードとファクシミリ画情報データの２つのパート情報から構成されている場合には、最初のパートの情報は、そのＭＩＭＥ情報を復号して元の日本語キャラクタコードデータを生成し、その日本語キャラクタコードデータに対応する図形文字データを発生して、その本文情報の表示情報を作成し、その表示情報を符号化復号化部７により符号化圧縮してファクシミリ画情報を作成し、そのファクシミリ画情報を１ページ目の画情報として取り扱い、次のパートの情報については、ＭＩＭＥ情報を復号して元のファクシミリ画情報を生成し、そのファクシミリ画情報を２ページ目の画情報として取り扱う。このようにして、マルチパートＭＩＭＥ形式の本文情報は、パート毎に独立したページが割り当てられる。
【０１２３】
なお、本文情報としてファクシミリ画情報データ以外の他のフォーマット（例えば、ＢＭＰ，ＧＩＦ，ＪＰＥＧ，ＴＩＦＦ等）の画像データが添付されている場合には、その画像データのフォーマットをファクシミリ画像データへフォーマット変換した後に、符号化圧縮し、ファクシミリ画情報データを作成する。このような画像フォーマット変換は、画像処理部８によりなされる。
【０１２４】
次に、ユーザ設定テーブルを参照して、宛先の電子メールアドレスに対応して登録されている受信数と設定数を読み込み（処理４０７）、受信数をインクリメントして（処理４０８）、更新後の受信数をユーザ設定テーブルへ保存する（処理４０９）。
【０１２５】
また、受信数が設定値以上になっているかどうかを調べ（判断４１０）、判断４１０の結果がＹＥＳになるときには、ユーザ登録テーブルを参照して、宛先の電子メールアドレスに対応して登録されている電話番号と回線種別を取り出し（処理４１１）、その回線種別がＩＳＤＮであるかどうかを調べる（判断４１２）。
【０１２６】
回線種別がＩＳＤＮの場合で、判断４１２の結果がＹＥＳになるときには、そのときに取り出した電話番号を用いて、デジタル公衆網ＩＳＤＮへ発呼する（処理４１３）。これにより、宛先のグループ４ファクシミリ装置ＦＸｆが着信検出し、この場合には、上述したように呼設定メッセージＳＥＴＵＰを受信して発信元を確認した後に解放完了メッセージＲＥＬ＿ＣＯＭＰを送出して呼設定手順動作を打ち切るので、デジタル公衆網ＩＳＤＮより解放完了メッセージＲＥＬ＿ＣＯＭＰを受信するまで待ち（判断４１４のＮＯループ）、デジタル公衆網ＩＳＤＮより解放完了メッセージＲＥＬ＿ＣＯＭＰを受信して判断４１４の結果がＹＥＳになると、宛先ユーザへの着信通知を終了したので、判断４０１へ戻る。
【０１２７】
また、回線種別がＰＳＴＮの場合で、判断４１２の結果がＮＯになるときには、そのときに取り出した電話番号を用いて、アナログ公衆網へ発呼する（処理４１５）。これにより、宛先のグループ３ファクシミリ装置ＦＸｇが着信検出し、この場合には上述したように発信番号通知サービス着信手順を実行して、発信者の電話番号を知った後に回線を復旧するので、発呼してから所定時間を経過するまで待ち（判断４１６のＮＯループ）、発呼してから所定時間を経過して判断４１６の結果がＹＥＳになると、宛先ユーザへの着信通知を終了したので、判断４０１へ戻る。
【０１２８】
また、受信数が設定値よりも小さい場合で、判断４１０の結果がＮＯになるときには、着信通知するには及ばないので、判断４０１へと戻る。
【０１２９】
アナログ公衆網ＰＳＴＮより着信検出した場合で、判断４０２の結果がＹＥＳになるときには、着信応答し、所定のグループ３ファクシミリ伝送前手順を実行し（処理４２０）、そのときの伝送機能等の設定等を行う。
【０１３０】
ここで、相手端末よりポーリング受信要求が指定されたかどうかを調べ（判断４２１）、判断４２１の結果がＮＯになるときには、通常の着信時の処理を実行して（処理４２２）、判断４０１へ戻る。
【０１３１】
また、相手端末よりポーリング受信要求が指定された場合で判断４２１の結果がＹＥＳになるときには、伝送前手順で受信した送信端末識別情報ＴＳＩより発信元電話番号を抽出し、その電話番号に対応してユーザ登録テーブルに登録されている電子メールアドレスを取り出し、その電子メールアドレスに対応して設けられているメールボックスに、１つ以上のファクシミリ画情報が保存されているかどうかを調べる（処理４２３、判断４２４）。
【０１３２】
発信元に対応した電子メールアドレスに対応して設けられているメールボックスに、１つ以上のファクシミリ画情報が保存されている場合で、判断４２４の結果がＹＥＳになるときには、それ以降のグループ３ファクシミリ伝送手順を継続する。すなわち、モデムトレーニング手順を実行して使用するモデム速度を決定し（処理４２５）、所定の画情報送信手順を実行してメールボックスに保存されている全ての画情報を送信し（処理４２６）、画情報送信を終了すると、所定の伝送後手順を実行（処理４２７）した後に、回線を復旧し（処理４２８）、送信終了した画情報をメールボックスより消去して（処理４２９）、この動作を終了し、判断４０１へ戻る。
【０１３３】
一方、発信元に対応した電子メールアドレスに対応して設けられているメールボックスに、１つ以上のファクシミリ画情報が保存されていない場合で、判断４２３の結果がＮＯになるときには、所定の強制終了手順を実行してグループ３ファクシミリ伝送手順を強制終了し（処理４３１）、回線を復旧して（処理４３２）、判断４０１へ戻る。
【０１３４】
また、デジタル公衆網ＩＳＤＮより着信検出した場合で、判断４０３の結果がＹＥＳになるときには、所定の呼設定手順を実行して（処理４３５）、情報チャネルを確立し（処理４３６）、その確立した情報チャネル上で所定のグループ４ファクシミリ伝送前手順を実行し（処理４３７）、そのときの伝送機能等の設定等を行う。
【０１３５】
ここで、相手端末よりポーリング受信要求が指定されたかどうかを調べ（判断４３８）、判断４３８の結果がＮＯになるときには、通常の着信時の処理を実行して、判断４０１へ戻る。
【０１３６】
また、相手端末よりポーリング受信要求が指定された場合で判断４２８の結果がＹＥＳになるときには、呼設定メッセージＳＥＴＵＰに含まれる「発番号」情報要素より発信元の電話番号を抽出し、その電話番号に対応してユーザ登録テーブルに登録されている電子メールアドレスを取り出し、その電子メールアドレスに対応して設けられているメールボックスに、１つ以上のファクシミリ画情報が保存されているかどうかを調べる（処理４４０、判断４４１）。
【０１３７】
発信元に対応した電子メールアドレスに対応して設けられているメールボックスに、１つ以上のファクシミリ画情報が保存されている場合で、判断４４１の結果がＹＥＳになるときには、所定の画情報送信手順を実行してメールボックスに保存されている全ての画情報を送信し（処理４４２）、画情報送信を終了すると、所定の情報チャネル終了手順を実行（処理４４３）した後に、情報チャネルを終了し（処理４４４）、呼解放手順を実行して呼を解放する（処理４４５）。
【０１３８】
次いで、送信終了した画情報をメールボックスより消去し（処理４４６）、ユーザ設定テーブルの受信数を「０」にクリアして（処理４４７）、この動作を終了し、判断４０１へ戻る。
【０１３９】
一方、発信元に対応した電子メールアドレスに対応して設けられているメールボックスに、１つ以上のファクシミリ画情報が保存されていない場合で、判断４４１の結果がＮＯになるときには、所定の強制終了手順を実行してグループ４ファクシミリ伝送手順を強制終了し（処理４４８）、情報チャネルを終了し（処理４４９）、所定の呼解放手順を実行して呼を解放して（処理４５０）、判断４０１へ戻る。
【０１４０】
このようにして、本実施例では、着信通知するまでにため込む電子メールの数を宛先毎に設定したユーザ設定テーブルを形成し、受信して蓄積した電子メールの数がその設定値に一致すると宛先ユーザのグループ３ファクシミリ装置ＦＸｇまたはグループ４ファクシミリ装置ＦＸｆへ着信を通知するようにしているので、頻繁に電子メールが受信される場合に着信通知の頻度が高くなって通信効率が悪くなるという不具合を抑制することができる。
【０１４１】
なお、上記したユーザ設定テーブルの設定数を適宜に調整することで、通信の即時性と、通信効率との調整を取ることができる。
【０１４２】
一方で、上述したように、ユーザ設定テーブルに登録された設定値まで電子メールをため込むようにすると、緊急性の高い電子メールを受信した場合に、着信通知までの時間が長くなりすぎて、その電子メールに設定された緊急度に応じた配信サービスができないという不具合を生じるおそれがある。
【０１４３】
かかる不具合を解消するには、緊急性の高い電子メール、例えば、「Ｘ−ｐｒｉｏｒｉｔｙ」の値が「１」になっている電子メールを受信すると、そのときの受信数にかかわりなく、宛先ユーザのグループ３ファクシミリ装置ＦＸｇまたはグループ４ファクシミリ装置ＦＸｆへ着信通知を行うようにするとよい。
【０１４４】
この場合に、ファクシミリサーバ装置ＦＳが実行する処理の要部の一例を図２０、図２１および図２２に示す。なお、本実施例の場合のグループ３ファクシミリ装置ＦＸｇ、および、グループ４ファクシミリ装置ＦＸｆの着信時の処理は、上述した実施例と同じ処理を適用することができる。
【０１４５】
まず、ファクシミリサーバ装置ＦＳは、電子メールを受信するか、アナログ公衆網ＰＳＴＮより着信検出するか、あるいは、デジタル公衆網ＩＳＤＮより着信検出することを監視している（判断５０１，５０２，５０３のＮＯループ）。
【０１４６】
電子メールを受信した場合で、判断５０１の結果がＹＥＳになるときには、その電子メールを保存し（処理５０４）、宛先ユーザのメールアドレスを抽出し（処理５０５）、画像処理部８により、本文情報をファクシミリ画情報へ変換して、宛先ユーザの電子メールアドレスに対応して画像蓄積装置９に設けられているメールボックスにそのファクシミリ画情報を蓄積する（処理５０６）。
【０１４７】
ここで、受信した電子メールの本文情報が、図４に示したように日本語キャラクタコードのＭＩＭＥ情報のみで構成されている場合には、そのＭＩＭＥ情報を復号して元の日本語キャラクタコードデータを生成し、その日本語キャラクタコードデータに対応する図形文字データを発生して、その本文情報の表示情報を作成し、その表示情報を符号化復号化部７により符号化圧縮してファクシミリ画情報を作成する。
【０１４８】
また、本文情報が図５に示したようにファクシミリ画情報データのＭＩＭＥ情報のみで構成されている場合には、そのＭＩＭＥ情報を復号することで元のファクシミリ画情報を生成する。
【０１４９】
また、本文情報が図６に示したように日本語キャラクタコードとファクシミリ画情報データの２つのパート情報から構成されている場合には、最初のパートの情報は、そのＭＩＭＥ情報を復号して元の日本語キャラクタコードデータを生成し、その日本語キャラクタコードデータに対応する図形文字データを発生して、その本文情報の表示情報を作成し、その表示情報を符号化復号化部７により符号化圧縮してファクシミリ画情報を作成し、そのファクシミリ画情報を１ページ目の画情報として取り扱い、次のパートの情報については、ＭＩＭＥ情報を復号して元のファクシミリ画情報を生成し、そのファクシミリ画情報を２ページ目の画情報として取り扱う。このようにして、マルチパートＭＩＭＥ形式の本文情報は、パート毎に独立したページが割り当てられる。
【０１５０】
なお、本文情報としてファクシミリ画情報データ以外の他のフォーマット（例えば、ＢＭＰ，ＧＩＦ，ＪＰＥＧ，ＴＩＦＦ等）の画像データが添付されている場合には、その画像データのフォーマットをファクシミリ画像データへフォーマット変換した後に、符号化圧縮し、ファクシミリ画情報データを作成する。このような画像フォーマット変換は、画像処理部８によりなされる。
【０１５１】
次に、ユーザ設定テーブルを参照して、宛先の電子メールアドレスに対応して登録されている受信数と設定数を読み込み（処理５０７）、受信数をインクリメントして（処理５０８）、更新後の受信数をユーザ設定テーブルへ保存する（処理５０９）。
【０１５２】
また、受信数が設定値以上になっているかどうかを調べ（判断５１０）、判断５１０の結果がＹＥＳになるときには、ユーザ登録テーブルを参照して、宛先の電子メールアドレスに対応して登録されている電話番号と回線種別を取り出し（処理５１１）、その回線種別がＩＳＤＮであるかどうかを調べる（判断５１２）。
【０１５３】
回線種別がＩＳＤＮの場合で、判断５１２の結果がＹＥＳになるときには、そのときに取り出した電話番号を用いて、デジタル公衆網ＩＳＤＮへ発呼する（処理５１３）。これにより、宛先のグループ４ファクシミリ装置ＦＸｆが着信検出し、この場合には、上述したように呼設定メッセージＳＥＴＵＰを受信して発信元を確認した後に解放完了メッセージＲＥＬ＿ＣＯＭＰを送出して呼設定手順動作を打ち切るので、デジタル公衆網ＩＳＤＮより解放完了メッセージＲＥＬ＿ＣＯＭＰを受信するまで待ち（判断５１４のＮＯループ）、デジタル公衆網ＩＳＤＮより解放完了メッセージＲＥＬ＿ＣＯＭＰを受信して判断５１４の結果がＹＥＳになると、宛先ユーザへの着信通知を終了したので、判断５０１へ戻る。
【０１５４】
また、回線種別がＰＳＴＮの場合で、判断５１２の結果がＮＯになるときには、そのときに取り出した電話番号を用いて、アナログ公衆網へ発呼する（処理５１５）。これにより、宛先のグループ３ファクシミリ装置ＦＸｇが着信検出し、この場合には上述したように発信番号通知サービス着信手順を実行して、発信者の電話番号を知った後に回線を復旧するので、発呼してから所定時間を経過するまで待ち（判断５１６のＮＯループ）、発呼してから所定時間を経過して判断５１６の結果がＹＥＳになると、宛先ユーザへの着信通知を終了したので、判断５０１へ戻る。
【０１５５】
また、受信数が設定値よりも小さい場合で、判断５１０の結果がＮＯになるときには、保存している電子メールのヘッダ情報の「Ｘ−ｐｒｉｏｒｉｔｙ」フィールドの値が「１」になっているかどうかを調べ（処理５１７、判断５１８）、判断５１８の結果がＹＥＳになるときには、その電子メールの緊急性が非常に大きいので、処理５１１へ進み、着信通知を実行する。
【０１５６】
また、判断５１８の結果がＮＯになるときには、着信通知をするには及ばないので、判断５０１へ戻る。
【０１５７】
アナログ公衆網ＰＳＴＮより着信検出した場合で、判断５０２の結果がＹＥＳになるときには、着信応答し、所定のグループ３ファクシミリ伝送前手順を実行し（処理５２０）、そのときの伝送機能等の設定等を行う。
【０１５８】
ここで、相手端末よりポーリング受信要求が指定されたかどうかを調べ（判断５２１）、判断５２１の結果がＮＯになるときには、通常の着信時の処理を実行して（処理５２２）、判断５０１へ戻る。
【０１５９】
また、相手端末よりポーリング受信要求が指定された場合で判断５２１の結果がＹＥＳになるときには、伝送前手順で受信した送信端末識別情報ＴＳＩより発信元電話番号を抽出し、その電話番号に対応してユーザ登録テーブルに登録されている電子メールアドレスを取り出し、その電子メールアドレスに対応して設けられているメールボックスに、１つ以上のファクシミリ画情報が保存されているかどうかを調べる（処理５２３、判断５２４）。
【０１６０】
発信元に対応した電子メールアドレスに対応して設けられているメールボックスに、１つ以上のファクシミリ画情報が保存されている場合で、判断５２４の結果がＹＥＳになるときには、それ以降のグループ３ファクシミリ伝送手順を継続する。すなわち、モデムトレーニング手順を実行して使用するモデム速度を決定し（処理５２５）、所定の画情報送信手順を実行してメールボックスに保存されている全ての画情報を送信し（処理５２６）、画情報送信を終了すると、所定の伝送後手順を実行（処理５２７）した後に、回線を復旧し（処理５２８）、送信終了した画情報をメールボックスより消去して（処理５２９）、この動作を終了し、判断５０１へ戻る。
【０１６１】
一方、発信元に対応した電子メールアドレスに対応して設けられているメールボックスに、１つ以上のファクシミリ画情報が保存されていない場合で、判断５２３の結果がＮＯになるときには、所定の強制終了手順を実行してグループ３ファクシミリ伝送手順を強制終了し（処理５３１）、回線を復旧して（処理５３２）、判断５０１へ戻る。
【０１６２】
また、デジタル公衆網ＩＳＤＮより着信検出した場合で、判断５０３の結果がＹＥＳになるときには、所定の呼設定手順を実行して（処理５３５）、情報チャネルを確立し（処理５３６）、その確立した情報チャネル上で所定のグループ４ファクシミリ伝送前手順を実行し（処理５３７）、そのときの伝送機能等の設定等を行う。
【０１６３】
ここで、相手端末よりポーリング受信要求が指定されたかどうかを調べ（判断５３８）、判断５３８の結果がＮＯになるときには、通常の着信時の処理を実行して、判断５０１へ戻る。
【０１６４】
また、相手端末よりポーリング受信要求が指定された場合で判断５２８の結果がＹＥＳになるときには、呼設定メッセージＳＥＴＵＰに含まれる「発番号」情報要素より発信元の電話番号を抽出し、その電話番号に対応してユーザ登録テーブルに登録されている電子メールアドレスを取り出し、その電子メールアドレスに対応して設けられているメールボックスに、１つ以上のファクシミリ画情報が保存されているかどうかを調べる（処理５４０、判断５４１）。
【０１６５】
発信元に対応した電子メールアドレスに対応して設けられているメールボックスに、１つ以上のファクシミリ画情報が保存されている場合で、判断４４１の結果がＹＥＳになるときには、所定の画情報送信手順を実行してメールボックスに保存されている画情報を送信し（処理５４２）、画情報送信を終了すると、所定の情報チャネル終了手順を実行（処理５４３）した後に、情報チャネルを終了し（処理５４４）、呼解放手順を実行して呼を解放する（処理５４５）。
【０１６６】
次いで、送信終了した画情報をメールボックスより消去し（処理５４６）、ユーザ設定テーブルの受信数を「０」にクリアして（処理５４７）、この動作を終了し、判断５０１へ戻る。
【０１６７】
一方、発信元に対応した電子メールアドレスに対応して設けられているメールボックスに、１つ以上のファクシミリ画情報が保存されていない場合で、判断５４１の結果がＮＯになるときには、所定の強制終了手順を実行してグループ４ファクシミリ伝送手順を強制終了し（処理５４８）、情報チャネルを終了し（処理５４９）、所定の呼解放手順を実行して呼を解放して（処理５５０）、判断５０１へ戻る。
【０１６８】
このようにして、本実施例では、着信通知するまでにため込む電子メールの数を宛先毎に設定したユーザ設定テーブルを形成し、受信して蓄積した電子メールの数がその設定値に一致するか、または、ヘッダ情報の「Ｘ−ｐｒｉｏｒｉｔｙ」フィールドの値が「１」になっていて、緊急度の高い電子メールを受信した場合に、宛先ユーザのグループ３ファクシミリ装置ＦＸｇまたはグループ４ファクシミリ装置ＦＸｆへ着信を通知するようにしているので、頻繁に電子メールが受信される場合に着信通知の頻度が高くなって通信効率が悪くなるという不具合を抑制することができるとともに、緊急性の高い電子メールの配信までの時間を大幅に短縮することができる。
【０１６９】
【発明の効果】
以上説明したように、本発明によれば、ファクシミリサーバ装置ＦＳに対して電子メールで配信要求された文書の内容が、ほぼ、電子メール受信直後に宛先ユーザのグループ３ファクシミリ装置ＦＸｇまたはグループ４ファクシミリ装置ＦＸｆで受信されてされる。したがって、従来問題となっていた電子メールの本文情報の配信の遅れ時間が大幅に短縮され、このファクシミリ通信システムの利用性および利便性が大幅に向上するという効果を得る。
【０１７０】
また、ファクシミリサーバ装置ＦＳから宛先のグループ３ファクシミリ装置ＦＸｇまたはグループ４ファクシミリ装置ＦＸｆへの着信通知の際には、課金がされないので、ファクシミリサーバ装置ＦＳが不要に課金が請求されるような事態を回避することができるという効果も得る。
【０１７１】
また、着信通知するまでにため込む電子メールの数を宛先毎に設定したユーザ設定テーブルを形成し、受信して蓄積した電子メールの数がその設定値に一致すると宛先ユーザのグループ３ファクシミリ装置ＦＸｇまたはグループ４ファクシミリ装置ＦＸｆへ着信を通知するようにしているので、頻繁に電子メールが受信される場合に着信通知の頻度が高くなって通信効率が悪くなるという不具合を抑制することができるという効果を得る。
【０１７２】
また、着信通知するまでにため込む電子メールの数を宛先毎に設定したユーザ設定テーブルを形成し、受信して蓄積した電子メールの数がその設定値に一致するか、または、ヘッダ情報の「Ｘ−ｐｒｉｏｒｉｔｙ」フィールドの値が「１」になっていて、緊急度の高い電子メールを受信した場合に、宛先ユーザのグループ３ファクシミリ装置ＦＸｇまたはグループ４ファクシミリ装置ＦＸｆへ着信を通知するようにしているので、頻繁に電子メールが受信される場合に着信通知の頻度が高くなって通信効率が悪くなるという不具合を抑制することができるとともに、緊急性の高い電子メールの配信までの時間を大幅に短縮することができるという効果を得る。
【図面の簡単な説明】
【図１】本発明の一実施例にかかるファクシミリ通信システムの一例を示したブロック図。
【図２】ユーザ登録テーブルの一例を示した概略図。
【図３】ファクシミリサーバ装置ＦＳの構成の一例を示したブロック図。
【図４】ファクシミリサーバ装置ＦＳへ画情報配信サービスを依頼するための電子メールの一例を示す概略図。
【図５】ファクシミリサーバ装置ＦＳへ画情報配信サービスを依頼するための電子メールの他の例を示す概略図。
【図６】ファクシミリサーバ装置ＦＳへ画情報配信サービスを依頼するための電子メールのさらに他の例を示す概略図。
【図７】発信番号通知サービスを受けている回線における発呼動作シーケンスの一例を示すタイミングチャート。
【図８】発ＩＤ等を送出する際のモデム信号の信号形式の一例を示した概略図。
【図９】回線交換モードでのデジタル公衆網ＩＳＤＮにおける呼制御手順の一例について示したタイムチャート。
【図１０】ＩＳＤＮにおける呼設定用のメッセージの信号形式について説明するための概略図。
【図１１】ファクシミリサーバ装置ＦＳが実行する処理の要部の一例の一部を示したフローチャート。
【図１２】ファクシミリサーバ装置ＦＳが実行する処理の要部の一例の他の部分を示したフローチャート。
【図１３】ファクシミリサーバ装置ＦＳが実行する処理の要部の一例の残りの部分を示したフローチャート。
【図１４】グループ４ファクシミリ装置ＦＸｆが着信時に実行する処理の要部を示したフローチャート。
【図１５】グループ３ファクシミリ装置ＦＸｇが着信時に実行する処理の要部を示したフローチャート。
【図１６】ユーザ設定テーブルの一例を示した概略図。
【図１７】ファクシミリサーバ装置ＦＳが実行する処理の要部の他の例の一部を示したフローチャート。
【図１８】ファクシミリサーバ装置ＦＳが実行する処理の要部の他の例の他の部分を示したフローチャート。
【図１９】ファクシミリサーバ装置ＦＳが実行する処理の要部の他の例の残りの部分を示したフローチャート。
【図２０】ファクシミリサーバ装置ＦＳが実行する処理の要部のさらに他の例の一部を示したフローチャート。
【図２１】ファクシミリサーバ装置ＦＳが実行する処理の要部のさらに他の例の他の部分を示したフローチャート。
【図２２】ファクシミリサーバ装置ＦＳが実行する処理の要部の他の例の残りの部分を示したフローチャート。
【図１】
0003598451.tif 000002
【図２】
0003598451.tif 000003
【図３】
0003598451.tif 000004
【図４】
0003598451.tif 000005
【図５】
0003598451.tif 000006
【図６】
0003598451.tif 000007
【図７】
0003598451.tif 000008
【図８】
0003598451.tif 000009
【図９】
0003598451.tif 000010
【図１０】
0003598451.tif 000011
【図１１】
0003598451.tif 000012
【図１２】
0003598451.tif 000013
【図１３】
0003598451.tif 000014
【図１４】
0003598451.tif 000015
【図１５】
0003598451.tif 000016
【図１６】
0003598451.tif 000017
【図１７】
0003598451.tif 000018
【図１８】
0003598451.tif 000019
【図１９】
0003598451.tif 000020
【図２０】
0003598451.tif 000021
【図２１】
0003598451.tif 000022
【図２２】
0003598451.tif 000023